(57)【要約】【課題】ユーザに対して注意を促す必要がなく、どのような場所でも手軽にレンズ交換を行なえる一眼レフカメラを提供すること。【解決手段】  交換レンズ１１０をカメラ本体１１０側のレンズマウント部１０１に装着したときにカメラ本体１００側の無線通信装置１０１ａと相互に通信を行なえるように交換レンズ内に無線通信装置１１０ａを設ける。閃光発光装置１２０をカメラ本体１００に装着したときにカメラ本体１００側の無線通信装置１０２ａと相互に通信を行なえるように閃光発光装置１２０内部に無線通信装置１０２ａを設ける。いままで電気接点であったところを、無線通信装置１０１ａ，１１０ａ、１０２ａ，１２０ａに置き換え、無接点化を図る。さらに電気接点があったところに防塵用のフィルタを設けて、どのような場所でも簡単にレンズ交換を行なえるようにする。【選択図】  図１
2005292187.tif 000002
【特許請求の範囲】
【請求項１】
交換レンズをカメラ本体に装着して該装着した交換レンズで被写体を捉えて撮影を行なう一眼レフカメラにおいて、
前記交換レンズと前記カメラ本体双方が、該交換レンズが該カメラ本体に装着されたときに相互に通信を行なう無線通信装置をそれぞれ備えたことを特徴とする一眼レフカメラ。
【請求項２】
さらに、この一眼レフカメラは、着脱自在な閃光発光装置を備え、前記閃光発光装置と前記カメラ本体双方は、該閃光発光装置が該カメラ本体に装着されたときに相互に通信を行なう無線通信装置をそれぞれ備えたものであることを特徴とする請求項１記載の一眼レフカメラ。
【発明の詳細な説明】
【技術分野】
【０００１】
本発明は、交換レンズをカメラ本体に装着してその装着した交換レンズで被写体を捉えて撮影を行なう一眼レフカメラに関する。
【背景技術】
【０００２】
カメラの中には交換レンズを交換することが自在なレンズマウント部を備えたカメラがある。このようなカメラのほとんどが一眼レフカメラであり、撮影者はそのマウント部に単焦点、望遠、広角といった様々な交換レンズを装着することで様々なアングルの撮影を楽しんでいる。
【０００３】
このような一眼レフカメラにあっては、レンズ交換の際にカメラ本体のレンズマウント部から塵、埃などが侵入してしまう恐れがあるため、これを防止するための防塵機構がカメラ本体側に特に必要になる。このような防塵機構としてデジタル型の一眼レフカメラではあるが、カメラ本体側にある固体撮像素子の前面に保護ガラスを設けたものがある（例えば特許文献１参照）。
【０００４】
この特許文献１のものは、保護ガラスを設けて固体撮像素子表面に付着するごみをその保護ガラスの表面に付着させ、清掃によりそのごみを除去するなどして固体撮像素子表面にごみを付着させないようにしている。
【０００５】
ところで、一眼レフカメラではカメラ本体に装着された交換レンズを通して測距や測光が行なわれる。このような一眼レフカメラには、交換レンズ側のピント調整機構を手動で調整するものや自動的にピントを調整する、いわゆるオートフォーカス機能を備えたものがある。このオートフォーカス機能を有する一眼レフカメラでは、交換レンズ側とカメラ本体側双方に電気接点を設けて、交換レンズの装着時にそれら電気接点を接触させてカメラ本体と交換レンズとの間でデータのやり取りが行なわれる。
【０００６】
しかし、このような電気接点を有する一眼レフカメラでは、電気接点に塵、埃や水気が付着すると、データのやり取りが妨げられ、オートフォーカス機能が働かなくなってしまう。このため、使用者はレンズ交換を行なう際、電気接点に塵、埃、水気が付着しないように注意を払って行なわなければならず、手軽にレンズ交換を行なえない。
【特許文献１】特開２００２−９０８４２号公報
【発明の開示】
【発明が解決しようとする課題】
【０００７】
本発明は上記問題点を解決し、手軽にレンズ交換を行なえる一眼レフカメラを提供することを目的とする。
【課題を解決するための手段】
【０００８】
上記目的を達成する本発明の一眼レフカメラは、交換レンズをカメラ本体に装着してその装着した交換レンズで被写体を捉えて撮影を行なう一眼レフカメラにおいて、
上記交換レンズと上記カメラ本体双方が、その交換レンズがそのカメラ本体に装着されたときに相互に通信を行なう無線通信装置をそれぞれ備えたことを特徴とする。
【０００９】
上記本発明のカメラによれば、上記無線通信装置を上記交換レンズおよび上記カメラ本体に設けることにより、その交換レンズとその交換レンズ双方に接点を設けなくてもカメラ本体とレンズ交換部との相互通信が可能になる。その結果、電気接点に塵、埃、水が付着して故障の原因になるということがなくなり、手軽にレンズ交換を行なえる。
【００１０】
さらに、カメラ本体および交換レンズ双方の電気接点を設けていた部分に防塵用のフィルタを付加するようなことを行なうと、レンズ交換を行なう際、カメラ本体内部および交換レンズ内部への塵、埃の侵入に対して注意を払う必要がなくなり、より一層この一眼レフカメラを手軽に扱えるようになる。
【００１１】
ここで、上記無線送受信部には、電磁波を利用した通信装置の使用が可能であり、交換レンズ側または閃光発光装置側からカメラ本体に情報を転送するだけであれば無線タグの使用も可能である。また、双方の送受信装置の通信路に光が透過する透過板を設ければ、光を用いたものも使用可能である。この光を用いたものにあっては、ＩＲＤＡやブルーツースといった送受信装置の使用が考えられる。
【００１２】
さらに、この一眼レフカメラは、着脱自在な閃光発光装置を備え、上記閃光発光装置と上記カメラ本体双方は、その閃光発光装置がそのカメラ本体に装着されたときに相互に通信を行なう無線通信装置をそれぞれ備えたものであることが好ましい。
【００１３】
そうすると上記交換レンズに限らず、カメラ本体に装着自在な閃光発光装置とカメラ本体との間を電気的に接続するための電気接点も必要なくなり、閃光発光装置の着脱も手軽に行なうことができる。
【発明の効果】
【００１４】
上記本発明の一眼レフカメラによれば、手軽にレンズ交換を行なえる一眼レフカメラを提供することができる。
【発明を実施するための最良の形態】
【００１５】
図１は本実施形態である一眼レフカメラの外観を示す図である。図１（ａ）にはオートフォーカス用の一眼レフカメラのカメラ本体１００が示されており、図１（ｂ）にはオートフォーカス用の交換レンズ１１０の一例が示されている。また図１（ｃ）には、カメラ本体１００に着脱自在な閃光発光装置１２０の一例が示されている。
【００１６】
図１（ａ）に示すように、この一眼レフカメラのカメラ本体１００はカメラボディ１００ａ中央にレンズマウント部１０１が設けられており、そのレンズマウント部１０１の上方に図１（ｃ）に示す閃光発光装置１２０を装着するためのガイドレール１０２が設けられている。レンズマウント部１０１に交換レンズ１１０が装着され、さらに必要に応じて閃光発光装置１２０もカメラ本体のガイドレール１０２に装着されて撮影が行なわれる。
【００１７】
この一眼レフカメラのカメラボディ１００ａ中央のレンズマウント部１０１内部には、交換レンズ１１０との間で相互に通信を行なえる無線通信装置１０１ａが配備されており、またこの一眼レフカメラのカメラボディ１００ａの上面にあるガイドレール１０２下方にも閃光発光装置１２０との間で相互に通信を行なえる無線通信装置１０２ａが配備されている。また、このレンズマウント部１０１およびガイドレール１０２に装着される交換レンズ１１０および閃光発光装置１２０にもカメラ本体１００との間で相互に通信を行なう無線通信装置１１０ａ，１２０ａが配備されている。
【００１８】
本実施形態の一眼レフカメラにおいては、交換レンズ１１０側の取付部１１１に設けられたピン１１１ａ，１１１ｂをレンズマウント部１０１の切欠部１０１ｂ，１０１ｃに嵌め込み、レンズマウント部１０１に形成された溝（図示せず）に沿って交換レンズ１１０を時計方向に回していくことでその溝の終端部にあるロック機構により交換レンズ１１０が固定されるようになっている。ここではレンズマウント部の機構の一例として図１の機構を示したが、このレンズマウント部は、スクリューマウント式であっても、バヨネットマウント式であってもどのようなマウント式のものであっても良い。
【００１９】
このようにして交換レンズ１１０がレンズマウント部１０１内部にあるロック機構により固定されると、交換レンズ１１０に設けられている無線通信部１１０ａとカメラ本体１００の無線通信部１０１ａとが隣接して配置され、相互に通信を行なえるようになる。また閃光発光装置１２０にも無線通信装置１２０ａが備えられており、その閃光発光装置１２０の取付け部１２０ｂがガイドレール１０２に嵌め込まれてカメラ本体１００に装着されると、カメラ本体１００の無線通信装置１０２ａと閃光発光装置１２０の無線通信装置１２０ａとの間で相互に無線通信を行なえるようになる。ここではこれら無線通信装置１０１ａ，１１０ａ、１０２ａ，１２０ａとして電磁波を用いて相互に通信を行なうものが配備されている。
【００２０】
本実施形態の一眼レフカメラでは、交換レンズ１１０がカメラ本体１００に装着され、さらに閃光発光装置１２０がカメラ本体１００に装着され、電源が投入された後、カメラ本体側の要求に応じて交換レンズ１１０側から交換レンズ１１０の仕様値である焦点距離や撮影最短距離や開放Ｆ値などがカメラ本体１００側に送信され、また閃光発光装置１２０から閃光発光装置１２０の仕様値であるガイドナンバなどがカメラ本体１００側に送信されるようになっている。
【００２１】
図２は、交換レンズ１１０内に記憶されている交換レンズ１１０の仕様値と閃光発光装置１２０内に記憶されている仕様値を示す図である。
【００２２】
図２に示すように交換レンズ１１０の仕様値としては焦点距離や最短撮影距離や開放Ｆ値などがあり、閃光発光装置の仕様値としてはガイドナンバーなどがある。これらの情報が絞りやシャッタスピードや閃光発光量の算出に必要なデータとしてカメラ本体１００に送信される。
【００２３】
なお、カメラ本体１００には電池室（不図示）があり、この電池室に電池が装填されるとこのカメラは動作する。また閃光発光装置１２０にも電池室（不図示）がありその電池室に閃光発光に必要なだけの容量を持つ電池が装填されると閃光発光装置１２０が動作可能な状態になる。閃光発光装置１２０内には不揮発性のメモリが備えられており、そのメモリ内に図２に示す仕様値が記憶されている。また、交換レンズ１１０の方は交換レンズ内の複数の撮影レンズのうち、フォーカスに係わるレンズ（以下フォーカスレンズという）を駆動するだけの電力があれば良いので、カメラ本体からトランス（不図示）を介して電力が供給されるようになっている。この交換レンズ１１０の仕様値は、交換レンズ１１０内に記憶されており、交換レンズ１１０がカメラ本体１００のレンズマウント部１０１に装着され、電源が投入されたときにカメラ本体１００側の要求により送信されるようになっている。
【００２４】
図３はカメラ本体１００と交換レンズ１１０および閃光発光装置１２０の構成を示す構成ブロック図である。
【００２５】
本実施形態の一眼レフカメラにおいては、交換レンズ１１０がカメラ本体１００のレンズマウント部１０１に装着され、電源が投入された後、カメラ本体１００内の制御部１００１からレンズ制御ＩＦ１００４を介して無線通信装置１０１ａにより交換レンズに送信要求が出されたら交換レンズ１１０内のレンズ制御部１１０１に記憶されている焦点距離、最短撮影距離、開放Ｆ値といった仕様値が交換レンズ１１０内の無線通信装置１１０２によりカメラ本体側に送信されてくる。
【００２６】
カメラ本体１００側は、この送信されてきたデータを、カメラ本体１００側の無線通信装置１１０３により受信して、この受信したデータを、レンズ制御ＩＦ部を介して制御部１００１が受け取り、その受け取った情報を制御部１００１内のメモリに記憶する。
【００２７】
一方、閃光発光装置１２０がカメラ本体１００に装着され、電源が投入されるとカメラ本体１００側から閃光発光装置に向けて出された送信要求により閃光発光装置１２０内の不揮発性メモリ内にある情報例えばガイドナンバーも無線通信装置１２０ａにより送信されてくる。カメラ本体１００側は、この閃光発光装置１２０側の無線通信装置１２０ａにより送信されてきたガイドナンバーなどのデータをカメラ本体１００側の無線通信装置１０２ａにより受信して、その受信したデータをＩＦ（インタフェース）１００５を介して制御部１００１が受け取り、その受け取った情報を制御部１００１内のメモリに記憶する。
【００２８】
ここでレリーズ釦１０３が押下されたら、交換レンズ１１０内の複数の撮影レンズを通してカメラ本体１００側に導かれた被写体光に基づいて測距装置１００２により測距が行なわれ、その測距結果と制御部１００１内のメモリに記憶した焦点距離、最短撮影距離、開放Ｆ値などの仕様値に基づいて交換レンズ１１０内のフォーカスレンズの合焦位置が算出される。また、交換レンズ１１０を通してカメラ本体１００に導かれた被写体光に基づいて測光装置１００３により測光も行なわれて、その測光値および制御部１００１内のメモリに記憶した焦点距離、最短撮影距離、開放Ｆ値、ガイドナンバーなどに基づいて絞り、シャッタスピード、閃光発光量が算出される。
【００２９】
このようにして絞り、シャッタスピード、閃光発光量が算出されたら、プログラムシャッタを駆動することによってこの一眼レフカメラにより撮影が行なわれる。
【００３０】
このように無線通信装置１０１ａ，１１０ａ、１０２ａ，１２０ａを設けることにより無接点化を図っても、いままでどおりの撮影を行なうことができる。
【００３１】
ここで、この一眼レフカメラが有する防塵機構を、図４を参照して簡単に説明する。
【００３２】
図４はカメラ本体１００と交換レンズ１１０とにそれぞれ設けられた防塵機構の構成を示す図である。
【００３３】
図４に示すように、カメラ本体１００内部、交換レンズ１１０内部に塵埃が侵入しないように透明の防塵フィルタ１０１ｃ，１１０ｃがそれぞれ設けられている。これら防塵フィルタ１０１ｃ，１１０ｃにより、レンズ交換を行なう際のカメラ本体１００内部への、また交換レンズ１１０内部への塵埃の侵入が防止される。
【００３４】
このように、本実施形態の一眼レフカメラにおいては、カメラ本体１００、交換レンズ１１０双方に無線通信装置１０１ａ，１１０ａ、１０２ａ，１２０ａを設けて無接点化を図り、いままで電気接点を設けていたスペースに防塵フィルタ１０１ｃ，１１０ｃを設けてカメラ本体内部へ、また交換レンズ内部への塵埃の侵入を防止してどのような場所であってもレンズ交換を行なえる一眼レフカメラを実現している。
【００３５】
なお、ここでは、電磁波を用いた無線通信装置を用いたが、光を媒体とした無線通信装置を用いても良い。
【図面の簡単な説明】
【００３６】
【図１】本発明の実施形態を示す一眼レフカメラの外観図である。
【図２】交換レンズ１１０内にある交換レンズの仕様値と閃光発光装置１２０内にある仕様値を説明する図である。
【図３】カメラ本体１００と交換レンズ１１０および閃光発光装置１２０の構成を示す構成ブロック図である。
【図４】カメラ本体１００と交換レンズ１１０に設けられた防塵機構を示す図である。
【符号の説明】
【００３７】
１００    カメラ本体
１００１    制御部
１００２    測距装置
１００３    測光装置
１００４    レンズ制御Ｉ／Ｆ部
１００５    Ｉ／Ｆ
１０１    レンズマウント部
１０１ａ      無線通信装置
１０１ｂ  １０１ｃ    切欠部
１０１ｄ    防塵フィルタ
１０２    ガイドレール
１０２ａ    無線通信装置
１０３    レリーズ釦
１１０    交換レンズ
１１０ａ    無線通信装置
１１０ｂ    防塵フィルタ
１１１    取付部
１１１ａ  １１１ｂ  取付ピン
１１０１    レンズ制御部
１２０    閃光発光装置
１２０ａ    無線通信部
１２０ｂ    取付部
１２１    閃光発光部
【図１】
2005292187.tif 000003
【図２】
2005292187.tif 000004
【図３】
2005292187.tif 000005
【図４】
2005292187.tif 000006